(57)【要約】【課題】所定の物品を袋に収納した袋体を主たる配送物に付随させる場合に、当該袋体を主たる配送物と共に配送することができて配送費用を抑える事ができる袋を提供する。【解決手段】対向する一対のシート部３，３を有する袋本体２と、該袋本体２の開口を開閉自在とする開閉手段４と、前記袋本体２の一方のシート部３の外面３１側に形成される接着剤層５とを備えることを特徴とする。【選択図】図１
0003130324.tif 000002
【実用新案登録請求の範囲】
【請求項１】
対向する一対のシート部を有する袋本体と、該袋本体の開口を開閉自在とする開閉手段と、前記袋本体の一方のシート部の外面側に形成される接着剤層とを備えることを特徴とする袋。
【請求項２】
前記シート部は、略長方形のシート体であり、その長辺が１０ｃｍ乃至１４ｃｍで、短辺が７ｃｍ乃至９ｃｍであることを特徴とする請求項１に記載の袋。
【請求項３】
前記接着剤層は、前記一方のシート部の外面側略全域に設けられていることを特徴とする請求項１又は２に記載の袋。
【請求項４】
前記開閉手段は、前記袋本体の幅方向略全域に設けられていることを特徴とする請求項１乃至３の何れかに記載の袋。
【請求項５】
前記開閉手段は、前記一対のシート部それぞれの開口端部に設けられる一対のチャック部にて構成されており、該各々のチャック部は、互いに係合する係合部を備えており、少なくとも接着剤層が形成されるシート部に設けられるチャック部の係合部は、当該シート部の内面側から他方のシート部側へ向けて突設されていることを特徴とする請求項１乃至４の何れかに記載の袋。
【請求項６】
また、前記開閉手段は、前記一対のシート部それぞれの開口端部に設けられると共に互いに係合する一対のチャック部にて構成されており、該チャック部は、シート部の開口端部の内面側に取付けられるシート状の取付部を備えることを特徴とする請求項１乃至５の何れかに記載の袋。
【請求項７】
前記開閉手段は、前記一対のシート部それぞれの開口端部に設けられると共に互いに係合する雌チャック部と雄チャック部とで構成されており、雌チャック部は、前記シート部の幅方向に形成されると共に所定距離離間して平行に設けられる一対の雌突出部にて構成される雌係合部を備え、雄チャック部は、前記雌係合部と係合する雄係合部を備え、該雄係合部は、前記一対の雌突出部の間に嵌め込まれて該雌突出部と係合する雄突出部と、該雄突出部から所定距離離間して設けられ、雄突出部との間に前記一対の雌突出部の何れか一方が挿入されるように形成される補助部とを備えることを特徴とする請求項１乃至６の何れかに記載の袋。
【考案の詳細な説明】
【技術分野】
【０００１】
本考案は、袋に関し、特に主たる配送物に付随して配送する物品の収納に適した袋に関する。
【背景技術】
【０００２】
従来、主たる配送物に所定の物品を付随させる場合、例えば、複数の商品を梱包箱に箱詰めした主たる配送物としての梱包体に、納品書や領収書等の所定の物品を付随させる場合や、クーポン券や名刺等の所定の物品を主たる配送物としてのはがきに付随させる場合がある。このような場合に、付随させる物品を保管し易くしたり保護したりするために、当該物品を袋に収納した袋体として配送することがある。
【考案の開示】
【考案が解決しようとする課題】
【０００３】
しかしながら、かかる場合には、所定の物品を収納するための袋を主たる配送物に添付することはできないため、当該物品を袋に収納した袋体を主たる配送物とは別に独立して配送しなければならない。そうすると、主たる配送物の配送費に加えて、袋体の配送費が別途必要となり、その分だけ配送費用が嵩んでしまう。
【０００４】
そこで、本考案は、上記実情に鑑みてなされ、所定の物品を袋に収納した袋体を主たる配送物に付随させる場合に、当該袋体を主たる配送物と共に配送することができて配送費用を抑える事ができる袋を提供することを課題とする。
【課題を解決するための手段】
【０００５】
本考案は、上記課題を解決すべくなされたものであり、本考案に係る袋は、対向する一対のシート部を有する袋本体と、該袋本体の開口を開閉自在とする開閉手段と、前記袋本体の一方のシート部の外面側に形成される接着剤層とを備えることを特徴とする。
【０００６】
該構成の袋にあっては、袋本体の開口を開閉自在とする開閉手段が設けられているので、主たる配送物に付随させる所定の物品を袋本体の内部に収納して開閉手段にて前記開口を閉じることによって、例えば配送途中に物品が袋本体の開口から不用意に飛び出すのを防止することができる。ここで、袋本体の一方のシート部の外面側には接着剤層が設けられており、該接着剤層を介して袋本体を主たる配送物に接着することによって、袋本体に物品を収納した袋体を主たる配送物に貼り付けて配送することができる。
【０００７】
特に、前記シート部は、略長方形のシート体であり、その長辺が１０ｃｍ乃至１４ｃｍで、短辺が７ｃｍ乃至９ｃｍであることが好ましい。シート部がこのような大きさであると、袋が軽量になると共に通常はがき若しくは往復はがきの往側又は復側の何れか一方側の大きさよりも小さくなる。よって、例えば、クーポン券や名刺、或いは人や商品などの情報を記録したラベル型、カード型、コイン型、又はスティック型等のＲＦＩＤタグ等の所定の物品を袋本体の内部に収納した袋体を、接着剤層を介して前記何れかのはがきに接着して、通常はがき又は往復はがき（所謂第二種郵便物）として配送（郵送）することができる。従って、はがきの郵送費用のみで、はがきと袋体との双方を配送することができ、配送費用を抑えることができる。尚、通常はがきとは、長辺が１４ｃｍ乃至１５．４ｃｍで、短辺が９ｃｍ乃至１０．７ｃｍであるはがきである。また、往復はがきとは、長辺が１８ｃｍ乃至２１．４ｃｍで、短辺が１４ｃｍ乃至１５．４ｃｍであり、長辺の略中央部分にて二つ折りにして一方を往側として他方を復側として使用するはがきである。
【０００８】
また、前記接着剤層は、前記一方のシート部の外面側略全域に設けられていることが好ましく、当該シート部の全域を主たる配送物に接着することができるので、主たる配送物から袋体が不用意に剥がれ難くすることができる。
【０００９】
更に、前記開閉手段は、前記袋本体の幅方向略全域に設けられていることが好ましく、袋本体の開口をその全幅に亘って閉じることができるので、袋本体の内部に収納した物品をより確実に保護することができる。
【００１０】
また更に、前記開閉手段は、前記一対のシート部それぞれの開口端部に設けられる一対のチャック部にて構成されており、該各々のチャック部は、互いに係合する係合部を備えており、少なくとも接着剤層が形成されるシート部に設けられるチャック部の係合部は、当該シート部の内面側から他方のシート部側へ向けて突設されていることが好ましい。このようにすると、接着剤層が形成されるシート部の外面はほぼ平坦な面となり、接着剤層を介して袋を主たる配送物に貼付する際に、シート部の外面を主たる配送物に隙間なく貼り付けることができ、袋と主たる配送物との接着を強固にすることができる。
【００１１】
また、前記開閉手段は、前記一対のシート部それぞれの開口端部に設けられると共に互いに係合する一対のチャック部にて構成されており、該チャック部は、シート部の開口端部の内面側に取付けられるシート状の取付部を備えることが好ましい。このようにすると、シート部の開口端部が多重構造となるので、例えば、主たる配送物に付随させる物品を繰り返し出し入れしても、袋本体が劣化したり破損したりし難くなる。
【００１２】
更に、前記開閉手段は、前記一対のシート部それぞれの開口端部に設けられると共に互いに係合する雌チャック部と雄チャック部とで構成されており、雌チャック部は、前記シート部の幅方向に形成されると共に所定距離離間して平行に設けられる一対の雌突出部にて構成される雌係合部を備え、雄チャック部は、前記雌係合部と係合する雄係合部を備え、該雄係合部は、前記一対の雌突出部の間に嵌め込まれて該雌突出部と係合する雄突出部と、該雄突出部から所定距離離間して設けられ、雄突出部との間に前記一対の雌突出部の何れか一方が挿入されるように形成される補助部とを備えることが好ましい。
【００１３】
このような構成とすると、一対の雌突出部の間に雄突出部を嵌め込んで雌係合部と雄係合部とを係合させた状態、即ち、袋本体の開口を閉じた状態では、雄突出部と補助部との間に前記一対の雌突出部の何れか一方が挿入されている。よって、例えば主たる配送物に袋を貼り付けた状態において、シート部の幅方向に直交する方向に力が作用すると、雄係合部はかかる方向に傾いて斜めとなり、補助部が一方の雌突出部に当接する。そうすると、雌係合部と雄係合部との位置ずれが所定範囲内に規制されるので、雄突出部が一対の雌突出部の間から抜けて雌係合部と雄係合部との係合が解除されるのを効果的に抑制することができる。従って、例えば配送途中で、袋本体の開口が不用意に開いて収納した物品が外部に飛び出すのを防止することができる。
【００１４】
また、雌チャック部と雄チャック部との係合を解除して袋本体の開口を開く際には、例えば、袋本体のシート部をその法線方向に引張る。そうすると、かかる引張り力の作用により、雄係合部は雄突出部の突出方向に対し傾いた状態となり、補助部が雌突出部に当接する。そうすると、雄突出部には、前記引張り力に加えて補助部と雌突出部との当接部分を支点とした回転モーメントが作用することとなるので、雄突出部と雌突出部との係合を簡単に解除することができる。よって、簡単に開口を開くことができる。
【考案の効果】
【００１５】
このように、本考案に係る袋にあっては、袋本体の一方のシート部の外面側に接着剤層が設けられているので、該接着剤層を介して袋本体を主たる配送物に接着して袋本体に物品を収納した袋体を主たる配送物に貼り付けることによって、当該物品を主たる配送物と共に配送することができる結果、配送費用を抑えることができるという効果を奏する。
【考案を実施するための最良の形態】
【００１６】
以下、本考案に係る袋の一実施形態について図面を参酌しつつ説明する。
図１に、本実施形態における袋１が示されている。該袋１は、対向する一対のシート部３，３を有する袋本体２と、袋本体２の開口を開閉自在とする開閉手段４と、袋本体２の一方のシート部３の外面側に形成される接着剤層５とを備える。
【００１７】
袋本体２は、一対のシート部３，３を前後に並べて各々の周縁部の一部を除いて互いに接着することにより袋１状に形成されている。具体的には、袋本体２は、略四角形状のシート部３を前後に２枚重ね合わせて、その側端部同士及び下端部同士をそれぞれヒートシールして接着することにより形成されている。尚、ヒートシールしている部分は、図１及び４では網掛けにて示し、図２及び３では太線にて示す。
【００１８】
本実施形態では、シート部３は、略長方形であり、各辺の長さは、例えば長辺としての上下方向の長さが１０ｃｍ乃至１４ｃｍであり、短辺としての左右方向の長さ（幅方向の長さ）が７ｃｍ乃至９ｃｍである。また、前側のシート部３の上下方向の長さは、後側のシート部３の上下方向の長さよりも短くなっている。よって、袋本体２は、図２に示すように、その一方の上端縁が他方の上端縁よりも上方に位置している。即ち、袋本体２は、前後のシート部３，３の側端縁同士及び下端縁同士がそれぞれ面一になるように重ね合わせられて形成されており、後側のシート部３の上端部は、前側のシート部３よりも上方に延設されている。尚、前後のシート部３，３の上下方向の長さを同じ長さとすることもできるし、前側のシート部３の上下方向の長さを後側のシート部３の長さよりも長くすることもできる。
【００１９】
シート部３の厚みは、適宜設定可能であるが、例えば、３０μｍ乃至８０μｍであり、特に５０μｍであるのが好ましい。尚、シート部３の形状は、長方形に限られず、正方形・多角形・円形・楕円形等であってもよい。また、シート部３の各辺の長さ及び厚みは、上記に限定されず適宜設定可能である。また、シート部３は、合成樹脂からなるシート体であり、例えば、ポリエチレン等の熱融着性樹脂シートである。
【００２０】
接着剤層５は、一方のシート部３の外面に形成されている。具体的には、接着剤層５は、後側のシート部３の外面３１に層状に形成されている。本実施形態では、接着剤層５は、図２に示すように、後側のシート部３の外面３１略全域に設けられているが、上下方向略中央部分に、所定の一定幅にて左右全幅に亘って接着剤が塗布されていない剥離開始部５１が形成されている。接着剤層５の厚みは、適宜設定可能であるが、例えば、５μｍ乃至４０μｍであり、特に２０μｍであるのが好ましい。
【００２１】
尚、接着剤層５は、接着剤、粘着剤、又は溶剤等を用いて形成することができ、本実施形態では、粘着剤を用いて形成している。接着剤層５の外面側には、その全体を覆うように離型紙６が設けられている。
【００２２】
開閉手段４は、図１に示すように、前記袋本体２の開口を開閉自在とするものであり、袋本体２の開口端部に設けられている。この開閉手段４は、前後一対のシート部３，３それぞれの開口端部に設けられる前後一対のチャック部にて構成される所謂チャックであり、袋本体２の幅方向略全域に設けられている。
【００２３】
具体的には、チャック部は、図２に示すように、シート状の取付部を備えており、該取付部がシート部３の開口端部（上端部）の内面３２に貼り付けられることによって、シート部３に取り付けられている。また、各々のチャック部は、互いに係合する係合部を備えており、少なくとも接着剤層５が形成されるシート部３に設けられるチャック部の係合部は、当該シート部３の内面３２から他方のシート部３側へ突設されている。本実施形態では、後側のシート部３に設けられているチャック部の係合部は、後側のシート部３の内面３２から前方へ突設されている。従って、後側のシート部３の外面３１は平坦な面となっている。尚、前側のシート部３に設けられているチャック部の係合部は、前側のシート部３の内面３２から後方へ突設されている。
【００２４】
かかる開閉手段４について更に詳しく説明する。開閉手段４は、図３に示すように、前後一対のシート部３，３それぞれの開口端部に取付けられると共に互いに係合する雌チャック部７と雄チャック部８とで構成されている。両チャック部７，８は、互いに係合することによって袋本体２の開口を閉じ、係合が解除されることによって袋本体２の開口を開くように構成されている。本実施形態では、両チャック部７，８は、袋本体２の幅方向略全域に亘って形成されている。
【００２５】
雌チャック部７は、シート状の取付部７１と、該取付部７１の内面７１１から突設された雌係合部７２とを備える。取付部７１は、左右方向に長い略長方形状のシート体であり、その左右方向の長さは、シート部３の左右方向の長さと略同じである。尚、取付部７１の厚さは、適宜設定可能であるが、本実施形態ではシート部３の厚さよりも厚く、例えば１３０μｍである。
【００２６】
雌係合部７２は、取付部７１の左右方向に形成されると共に互いに対向する一対の雌突出部７２１にて構成されている。具体的には、雌突出部７２１は、取付部７１の内面７１１から突設されており、その先端部は、取付部７１の面方向に延設されて内延設部７２２が形成されている。雌係合部７２は、一方の雌突出部７２１がその内延設部７２２が上方に延設されるように取付部７１の内面７１１の下端部に設けられ、他方の雌突出部７２１がその内延設部７２２が下方に延設されるように一方の雌突出部７２１の上方側に所定距離離間して取付部７１の内面７１１に設けられることによって構成されている。こうして、雌係合部７２は、双方の雌突出部７２１，７２１の内延設部７２２，７２２が互いに対向するように構成されており、双方の雌突出部７２１，７２１の間には、所定の隙間が形成されている。
【００２７】
このような構成の雌チャック部７は、取付部７１が後側のシート部３の内面３２に貼り付けられていることによって当該シート部３に取付けられている。具体的には、取付部７１の外面７１２と後側のシート部３の内面３２とを対向させ、取付部７１の長手方向をシート部３の幅方向に合わせて、且つその上端縁と後側のシート部３の上端縁とが面一となるように配置する。その状態で、取付部７１の上端部と後側のシート部３の上端部とをヒートシールすることにより、雌チャック部７は後側のシート部３に接着される。従って、雌係合部７２は、後側のシート部３の幅方向に形成されると共に当該シート部３の内面３２から突出して形成されることとなる。
【００２８】
雄チャック部８は、シート状の取付部８１と、該取付部８１の内面８１１から突設された雄係合部８２とを備える。取付部８１は、左右方向に長い略長方形状のシート体であり、その左右方向の長さは、袋本体２の左右方向の長さと略同じである。尚、取付部８１の厚さは、適宜設定可能であるが、本実施形態ではシート部３の厚さよりも厚く、例えば２１０μｍである。
【００２９】
雄係合部８２は、取付部８１の内面８１１に突設される雄突出部８２１と、該雄突出部８２１から上方へ所定距離離間して突設される補助部８２３とを備える。具体的には、雄突出部８２１は、取付部８１の内面８１１に上下に離間して一対突設されており、その先端部は、取付部８１の面方向に延設されて外延設部８２２が形成されている。雄突出部８２１は、一方がその外延設部８２２が上方に延設されるように取付部８１の内面８１１の略中央部に設けられ、他方がその外延設部８２２が下方に延設されるように一方の雄突出部８２１の下方側に所定距離離間して取付部８１の内面８１１に設けられている。雄突出部８２１は、取付部８１の長手方向略全域に亘って形成されている。
【００３０】
補助部８２３は、取付部８１の内面８１１に上側の雄突出部８２１から上方へ所定距離離間して突設されており、取付部８１の長手方向略全域に亘って形成されている。従って、補助部８２３と上側の雄突出部８２１との間には、所定の隙間が形成されている。尚、補助部８２３の突出量は、雄突出部８２１の突出量よりも若干小さくなっている。
【００３１】
このような構成の雄チャック部８は、取付部８１が前側のシート部３の内面３２に貼り付けられることによって当該シート部３に取付けられている。具体的には、取付部８１の外面８１２と前側のシート部３の内面３２とを対向させ、取付部８１の長手方向を当該シート部３の幅方向に合わせて、且つその下端部と当該シート部３の上端部とが重なるように配置する。その状態で、取付部８１の下端部と前側のシート部３の上端部とをヒートシールすることにより、雄チャック部８は前側のシート部３に接着される。こうして、雄係合部８２は、前側のシート部３の幅方向に形成され、当該シート部３の内面３２から突出することとなる。また、雄係合部８２は、前側のシート部３の上端縁よりも上方側に位置する。即ち、雄チャック部８は、前側のシート部３の上端縁から上方に突出するように当該シート部３の内面３２に設けられる。
【００３２】
かかる構成の開閉手段４において、前記雌係合部７２と前記雄係合部８２とを係合することによって袋本体２の開口を閉じることができ、雌係合部７２と雄係合部８２との係合を解除することによって袋本体２の開口を開くことができる。具体的には、双方の雌突出部７２１，７２１の間の隙間に双方の雄突出部８２１，８２１を嵌め込んで、内延設部７２２，７２２と外延設部８２２，８２２とを引っ掛けることにより、雌係合部７２と雄係合部８２とが係合して袋本体２の開口を閉じることができる。このとき、補助部８２３と上側の雄突出部８２１との間の隙間には、上側の雌突出部７２１が挿入された状態となっている。そして、双方の雌突出部７２１，７２１の間の隙間から雄突出部８２１，８２１を抜き取ることにより、雌係合部７２と雄係合部８２との係合が解除して袋本体２の開口を開くことができる。
【００３３】
以上のような構成の袋１にあっては、後側のシート部３の外面３１には接着剤層５が設けられているので、該接着剤層５を介して袋本体２を主たる配送物に接着することができ、袋本体２に物品を収納した袋体を主たる配送物に貼り付けて配送することができる。従って、配送費用を抑えることができる。
【００３４】
また、シート部３は、略長方形のシート体であり、その長辺が１０ｃｍ乃至１４ｃｍで、短辺が７ｃｍ乃至９ｃｍであるので、袋１が軽量になると共に通常はがき若しくは往復はがきの往側又は復側の何れか一方側の大きさよりも小さくなる。よって、例えば、はがきに貼り付けて郵送するための袋１として利用することができる。具体的には、図４に示すように、クーポン券や名刺、或いは人や商品などの情報を記録したラベル型、カード型、コイン型、又はスティック型等のＲＦＩＤタグ等の所定の物品Ｘを袋本体２の内部に収納した袋体を、接着剤層５を介して通常はがきＹの裏面に接着して、通常はがき（所謂第二種郵便物）として郵送することができる。従って、はがきの郵送費用のみで、はがきと袋体との双方を配送することができ、配送費用を抑えることができる。尚、本発明にかかる袋体は、はがきに貼付する場合に限られず、例えば、主たる配送物としての商品を包装するための包装紙や、複数の商品を梱包するための梱包箱などにも貼付することができる。
【００３５】
また、前記接着剤層５は、後側のシート部３の外面３１略全域に設けられているので、当該シート部３の外面３１全域を主たる配送物に接着して確実に袋体を主たる配送物に貼り付けることができ、主たる配送物から袋体が不用意に剥がれ難くすることができる。
【００３６】
更に、袋本体２の開口を開閉自在とする開閉手段４が設けられているので、主たる配送物に付随させる所定の物品を袋本体２に収納して開閉手段４にて前記開口を閉じた状態にして配送することができる。よって、例えば、配送途中に物品が袋本体２の開口から不用意に飛び出すのを防止することができる。
【００３７】
また更に、開閉手段４は、袋本体２の幅方向略全域に設けられているので、袋本体２の開口をその全幅に亘って閉じることができ、袋本体２の内部に収納した物品をより確実に保護・保管することができる。
【００３８】
また、接着剤層５が形成されている後側のシート部３に設けられる雌チャック部７の雌係合部７２は、当該シート部３の内面３２から前方へ突設されているので、後側のシート部３の外面３１は平坦な面となる。よって、袋１を例えばはがきの裏面などに貼り付ける場合に、はがきの裏面に後側のシート部３の外面３１を隙間なく貼り付けることができる、即ち、当該外面３１全体をはがきの裏面に当接させた状態で貼り付けることができるので、はがきと袋１との接着を強固にすることができる。
【００３９】
更に、雌チャック部７と雄チャック部８とのそれぞれは、シート状の取付部７１，８１を備えており、該取付部７１，８１を前後のシート部３，３の内面３２，３２にそれぞれ貼り付けることによって、雌チャック部７は後側のシート部３に、雄チャック部８は前側のシート部３にそれぞれ取付けられているので、それぞれのシート部３の開口端部が多重構造となり、例えば、主たる配送物に付随させる物品を繰り返し出し入れしても、袋本体２が劣化したり破損したりし難くなる。尚、本実施形態では、両取付部７１，８１の厚みは、シート部３の厚みよりも厚くなっているので、袋本体２の開口端部がより破損し難くなっている。
【００４０】
また更に、開閉手段４は、雌チャック部７と雄チャック部８とで構成されている。よって、開閉手段４にて袋本体２の開口を閉じた状態、つまり、双方の雌突出部７２１，７２１の間の隙間に双方の雄突出部８２１，８２１を嵌め込んで、内延設部７２２，７２２と外延設部８２２，８２２とを引っ掛けることにより、雌係合部７２と雄係合部８２とを係合させた状態では、補助部８２３と上側の雄突出部８２１との間の隙間に上側の雌突出部７２１が挿入された状態となっている。よって、例えば、袋１を主たる配送物に貼り付けた状態において、シート部３の外面に沿って上下方向の力が作用しても、上側の雌突出部７２１は、補助部８２３に当接する。そうすると、雌係合部７２と雄係合部８２との前記位置ずれが所定範囲内に規制され、雄突出部８２１が上下の雌突出部７２１の間の隙間から抜けて雌係合部７２と雄係合部８２との係合が解除されるのを効果的に防止することができる。従って、例えば配送途中に、袋本体２の開口が不用意に開いて収納した物品が外部に飛び出すのを防止することができる。
【００４１】
また、雌チャック部７と雄チャック部８との係合を解除して袋本体２の開口を開く際には、例えば、前側のシート部３の開口端部を手指で摘んで、シート部３の法線方向（前方向）に引張る。そうすると、雄チャック部８は、その下端側から前側に引張られるので、雄突出部８２１と補助部８２３との双方は、その突出方向に対し上下方向に傾いた状態となり、補助部８２３の先端部が下方に下がって雌突出部７２１に当接する。そうすると、雄突出部８２１には、前記引張りによる力に加えて補助部８２３と雌突出部７２１との当接部分を支点とした回転モーメントが作用することとなるので、雄突出部８２１は、双方の雌突出部７２１，７２１の間の隙間から無理なく抜ける、即ち、雄突出部８２１と雌突出部７２１との係合が簡単に解除される。よって、簡単に袋本体２の開口を開くことができる。
【００４２】
尚、本実施形態では、袋本体２が２枚のシート部３，３を前後に並べて袋１状に形成される場合について説明したが、これに限られず、例えば、袋本体２が前後一対のシート部３，３と両シート部３，３の下端部に設けられるガセット部とを備える場合でもよい。具体的には、袋本体２は、一対のシート部３，３を前後に対向するように配置して、その上端部同士及び両側端部同士をそれぞれヒートシールして三方シールし、両シート部３，３の各下端部にガセット部の縁部がヒートシールにより接着されることによって、袋１状に形成される。尚、ガセット部は、袋本体２の内側に二つ折りに折り畳まれ可能に構成されて左右方向（幅方向）に伸びる折込み線が形成される。
【００４３】
また、本実施形態では、接着剤層５が後側のシート部３の外面３１略全域に設けられる場合について説明したが、これに限られず、シート部３の外面３１の一部の領域に設けられる場合であってもよい。例えば、シート部３の外面３１の上部にのみ設ける場合であってもよい。
【００４４】
更に、本実施形態では、袋本体２が前後のシート部３，３をヒートシールして接着している場合について説明したが、これに限られず、例えば、シート部３を前後に２枚重ね合わせて、その側端部同士及び下端部同士をそれぞれ溶剤等を介して接着する場合であってもよい。
【００４５】
また更に、本実施形態では、開閉手段４が袋本体２の幅方向略全域に亘って設けられるチャックである場合について説明したが、これに限られず、例えば、袋本体２の幅方向略全域又は一部に亘って設けられる面ファスナや袋本体２の幅方向略中央部分に設けられるドットボタンでもよい。
【図面の簡単な説明】
【００４６】
【図１】本考案の一実施形態に係る袋を示す正面図。
【図２】図１のＡ−Ａ線断面拡大図。
【図３】図２のＰ部拡大図。
【図４】本考案の一実施形態に係る袋に所定の物品を収納してはがきに貼り付けた状態を示す正面図。
【符号の説明】
【００４７】
１…袋、２…袋本体、３…シート部、４…開閉手段、５…接着剤層、６…離型紙、７…雌チャック部、８…雄チャック部、５１…剥離開始部、７１，８１…取付部、７２…雌係合部、８２…雄係合部、７２１…雌突出部、７２２…内延設部、８２１…雄突出部、８２２…外延設部、８２３…補助部、Ｘ…物品、Ｙ…通常はがき
【図１】
0003130324.tif 000003
【図２】
0003130324.tif 000004
【図３】
0003130324.tif 000005
【図４】
0003130324.tif 000006